(57)【要約】【課題】機構を簡略化するとともに、調整やメンテナンス時の操作性を向上させたストライパーを提供する。【解決手段】給糸切換え装置本体に作用する部材として、アクチュエータ(1)、第１カム(2)、第２カム(3)、第３カム(4)、第４カム(22)を有する。給糸切換え装置本体として、前記アクチュエータ(1)の給糸選択部であるペグ(1-1)に対応し、給糸装置内部に動作を伝達するセレクターユニット(21)と、前記セレクターユニット(21)から第１伝達部材(21、11、12、13)を経由した動作により、通常位置と切換え位置とに移動されるフィンガーユニット(14)と、前記第３カム(4)から第２伝達部材(21-5、21-4、5、6、7、8、9、19、20)を経由した動作により開閉されるフィンガーユニット(14)の動刃(14-2)とヤーンキャッチャ(14-3)を有する。【選択図】  図７
2005042260.tif 000002
【特許請求の範囲】
【請求項１】
丸編機における給糸切換え装置であって、
(a)給糸切換え装置本体に作用する部材として、
編機に供給する編糸を選択するアクチュエータ(1)と、
編機と等速で回転し、選択されたフィンガーユニット(14)を切換え位置まで移動させるための第１カム(2)と、
編機と等速で回転し、切換え位置のフィンガーユニット(14)を通常位置まで移動させるための第２カム(3)と、
編機と等速で回転し、すべてのフィンガーユニット(14)の動刃(14-2)とヤーンキャッチャ(14-3)を開閉させるための第３カム(4)と、
編機と等速で回転し、給糸切換え装置の部材を供給する編糸の選択前の状態に戻させるための第４カム(22)とを有し、
(b)給糸切換え装置本体として、
少なくとも２本の編糸を切換える装置であって、前記アクチュエータ(1)の給糸選択部であるペグ(1-1)に対応し、給糸装置内部に動作を伝達するセレクターユニット(21)と、
前記セレクターユニット(21)から第１伝達部材(21、11、12、13)を経由した動作により、通常位置と切換え位置とに移動されるフィンガーユニット(14)と、
前記第３カム(4)から第２伝達部材(21-5、21-4、5、6、7、8、9、19、20)を経由した動作により開閉されるフィンガーユニット(14)の動刃(14-2)とヤーンキャッチャ(14-3)と、
編糸を編針に案内するヤーンガイド(17)とヤーンガイドプレート(16)と、
を有することを特徴とする丸編機における給糸切換え装置。
【請求項２】
アクチュエータ(1)が、１つの給糸口に使用する糸の本数に対応した段数と、全ての糸を非給糸状態にするための特別の１段との合計の段数を有する圧電素子を使用したペグ(1-1)を有する請求項１記載の装置。
【請求項３】
少なくとも第１カム(2) と第２カム(3)を丸編機フレーム部材に固定した請求項１又は２記載の装置。
【請求項４】
ヤーンガイドプレート（16）の背面に切り欠き（16a）を設けた請求項１ないし３のいずれかに記載の装置。
【請求項５】
フィンガーユニット(14)が通常位置に戻るとき、すでに編機に給糸状態にある特定糸に接触せずに特定糸用フィンガーユニット(14)を移動することができるようにヤーンガイドプレート(16)およびヤーンガイド(17)が配置されている請求項１ないし４項のいずれかに記載の装置。
【請求項６】
編機に供給する編糸を選択するアクチュエータ(1)と、
編機と等速で回転し、選択されたフィンガーユニット(14)を切換え位置まで移動させるための第１カム(2)と、
編機と等速で回転し、切換え位置のフィンガーユニット(14)を通常位置まで移動させるための第２カム(3)と、
編機と等速で回転し、すべてのフィンガーユニット(14)の動刃(14-2)とヤーンキャッチャ(14-3)を開閉させるための第３カム(4)と、
編機と等速で回転し、給糸切換え装置の部材を供給する編糸の選択前の状態に戻させるための第４カム(22)とを有する丸編機において、少なくとも２本の編糸を切換える方法であって、
前記アクチュエータ(1)の給糸選択部であるペグ(1-1)に対応し、セレクターユニット(21)が給糸装置内部に動作を伝達するステップと、
前記セレクターユニット(21)から第１伝達部材(21、11、12、13)を経由した動作により、フィンガーユニット(14)を通常位置と切換え位置に移動させるステップと、
前記第３カム(4)から第２伝達部材(21-5、21-4、5、6、7、8、9、19、20)を経由した動作によりフィンガーユニット(14)の動刃(14-2)とヤーンキャッチャ(14-3)を開閉するステップと、
ヤーンガイド(17)とヤーンガイドプレート(16)により、編糸を編針に案内するステップと、
を有することを特徴とする、丸編機における給糸切換え方法。
【請求項７】
給糸状態の通常位置から複数給糸状態に切り換えるとき、編針に給糸を続けるとともに、動刃(14-2)とヤーンキャッチャ(14-3)が開いた状態でフィンガーユニット(14)を給糸位置に移動させ、通常位置へ戻す請求項５記載の方法。
【発明の詳細な説明】
【技術分野】
【０００１】
本発明は丸編機においてストライプ柄の柄出しを行うために使用する給糸切換装置（「ストライパー」ともいう）及び方法に関する。
【背景技術】
【０００２】
丸編機においてストライプ柄の柄出しを行うために使用する給糸切換装置としては、例えば本出願人自身が出願した下記特許文献１がある。また、現在未公開であるが、同じく本出願人自身が出願した特願２００２−３７１４２９がある。
【特許文献１】特開２０００−３２８４０３公報
【発明の開示】
【発明が解決しようとする課題】
【０００３】
前記の特開２０００−３２８４０３号では、装置が編成部を覆った状態になっているため、編成部で発生した風綿が溜まりやすく、糸切れが発生した後の調整やメンテナンス時の操作性が悪く、時間と労力を要した。前記の特願２００２−３７１４２９号では、機構上各ストライパーにソレノイドが２つ必要で、そのため内部の機構も複雑で、製造コストが高くなった。
【０００４】
本発明はこれらの問題に鑑みて行われたものであり、機構を簡略化するとともに、調整やメンテナンス時の操作性を向上させたストライパーを提供することを目的とする。
【課題を解決するための手段】
【０００５】
本発明の丸編機における給糸切換え装置は、
(a)給糸切換え装置本体に作用する部材として、
編機に供給する編糸を選択するアクチュエータ(1)と、
編機と等速で回転し、選択されたフィンガーユニット(14)を切換え位置まで移動させるための第１カム(2)と、
編機と等速で回転し、切換え位置のフィンガーユニット(14)を通常位置まで移動させるための第２カム(3)と、
編機と等速で回転し、すべてのフィンガーユニット(14)の動刃(14-2)とヤーンキャッチャ(14-3)を開閉させるための第３カム(4)と、
編機と等速で回転し、給糸切換え装置の部材を供給する編糸の選択前の状態に戻させるための第４カム(22)とを有し、
(b)給糸切換え装置本体として、
少なくとも２本の編糸を切換える装置であって、前記アクチュエータ(1)の給糸選択部であるペグ(1-1)に対応し、給糸装置内部に動作を伝達するセレクターユニット(21)と、
前記セレクターユニット(21)から第１伝達部材(21、11、12、13)を経由した動作により、通常位置と切換え位置とに移動されるフィンガーユニット(14)と、
前記第３カム(4)から第２伝達部材(21-5、21-4、5、6、7、8、9、19、20)を経由した動作により開閉されるフィンガーユニット(14)の動刃(14-2)とヤーンキャッチャ(14-3)と、
編糸を編針に案内するヤーンガイド(17)とヤーンガイドプレート(16)と、
を有することを特徴とする。
本発明の丸編機における給糸切換え方法は、
編機に供給する編糸を選択するアクチュエータ(1)と、
編機と等速で回転し、選択されたフィンガーユニット(14)を切換え位置まで移動させるための第１カム(2)と、
編機と等速で回転し、切換え位置のフィンガーユニット(14)を通常位置まで移動させるための第２カム(3)と、
編機と等速で回転し、すべてのフィンガーユニット(14)の動刃(14-2)とヤーンキャッチャ(14-3)を開閉させるための第３カム(4)と、
編機と等速で回転し、給糸切換え装置の部材を供給する編糸の選択前の状態に戻させるための第４カム(22)とを有する丸編機において、少なくとも２本の編糸を切換える方法であって、
前記アクチュエータ(1)の給糸選択部であるペグ(1-1)に対応し、セレクターユニット(21)が給糸装置内部に動作を伝達するステップと、
前記セレクターユニット(21)から第１伝達部材(21、11、12、13)を経由した動作により、フィンガーユニット(14)を通常位置と切換え位置に移動させるステップと、
前記第３カム(4)から第２伝達部材(21-5、21-4、5、6、7、8、9、19、20)を経由した動作によりフィンガーユニット(14)の動刃(14-2)とヤーンキャッチャ(14-3)を開閉するステップと、
ヤーンガイド(17)とヤーンガイドプレート(16)により、編糸を編針に案内するステップと、
を有することを特徴とする。
【発明の効果】
【０００６】
本発明の方法によれば、フィンガーユニットは次の表１の動作を行うことが可能である。したがって、編糸を供給する信号だけで、任意の複数の糸を切換えることが可能となる。
【表１】
2005042260.tif 000003
【０００７】
糸を供給する信号のみで制御が可能なので、例えば４本の給糸切換えの場合、５段の種類のペグ(1-1)およびセレクトレバー(21-1)のみでよい。従って、アクチュエータ(1)やセレクターユニット(21)の幅方向を小型化でき、また部品点数も少なくなる。また信号のための電装品も簡略できる。ロッキングバー(21-2)を往復運動させるための第１カム(2) 、第２カム(3)もその動作を選択する必要がないのでフレーム部材に固定でき、必然的に簡単な形状になり且つコンパクトになる。糸を切換えない場合には往復運動や回転運度をする部品がないので騒音もない。前記の要素によりコストも必然的に低くなる。
【発明を実施するための最良の形態】
【０００８】
本発明の装置においては、アクチュエータ(1)は、好ましくは、１つの給糸口に使用する糸の本数に対応した段数と、全ての糸を非給糸状態にするための特別の１段との合計の段数を有する圧電素子を使用したペグ(1-1)を有する。
【０００９】
少なくとも第１カム(2)と第２カム(3)は丸編機フレーム部材、例えばロータリリング、に固定させるのが好ましい。
【００１０】
ヤーンガイドプレート（16）の背面には切り欠き（16a）を設けることが好ましい。
【００１１】
フィンガーユニット(14)が通常位置に戻るとき、すでに編機に給糸状態にある特定糸に接触せずに特定糸用フィンガーユニット(14)を移動することができるように、ヤーンガイドプレート(16)およびヤーンガイド(17)を配置するのが好ましい。
【００１２】
本発明の方法においては、給糸状態の通常位置から複数給糸状態に切り換えるとき、編針に給糸を続けるとともに、動刃(14-2)とヤーンキャッチャ(14-3)が開いた状態でフィンガーユニット(14)を給糸位置に移動し、通常位置へ戻すことが好ましい。
【実施例１】
【００１３】
＜装置の構成＞
図７−９に基づき、本発明の１実施例に係るストライパー装置の各部品を説明する。
【００１４】
ストライパーの最上部に編機と等速で回転するアクチュエータ(1)が設けられている。アクチュエータ(1)は、１つの給糸口に使用する糸の本数に対応した段数と、全ての糸を非給糸状態にするための特別の１段との合計の段数を有する圧電素子を使用したペグ(1-1)を有する。
【００１５】
そのペグ(1-1)の動きに対応して動作するのがセレクターユニット(21)である。セレクターユニット(21)は、セレクトレバー(21-1)と、ロッキングバー(21-2)と、スライダー(21-3)と、スイッチプレート(21-4)と、スイッチカム(21-5)からなる。
【００１６】
セレクトレバー(21-1)は、ペグ(1-1)が糸を供給するまたは非給糸する信号に応じて移動したときに係合し、押し込まれる。
【００１７】
ロッキングバー(21-2)は、セレクトレバー(21-1)と同じ隙間に位置し、セレクトレバー(21-1)に押し込まれて、係合部(21-2b)を中心として揺動する。
【００１８】
スライダー(21-3)は、ロッキングバー(21-2)と同じ隙間に位置し、ロッキングバー(21-2)と前記係合部(21-2b)で嵌合し、ロッキングバー(21-2)と共に移動する。スライダー(21-3)には長孔(21-3a)があり、この長孔にピン(21-3b)が固定されているので、この長孔の長さだけ水平移動が可能である。
【００１９】
スイッチプレート(21-4)は、スライダー(21-3)と同じ隙間に位置し、スライダー(21-3)と係合部(21-4a)で嵌合し、スライダー(21-3)と共に移動する。
【００２０】
スイッチカム(21-5)は、何れかのスイッチプレート(21-4)が給糸位置に移動したとき、そのスイッチプレート(21-4)により持ち上げられる。
【００２１】
セレクターユニット(21)に作用する４つのカムが、ロータリリング(23)に設けられていて、いずれも編機と等速で回転する。第１カム(2)および第２カム(3)は、ロッキングバー(21-2)の左端のバット部(21-2a)及び右端のバット部(21-2b)と係合し、ロッキングバー(21-2)を給糸位置または非給糸位置に移動させる。第３カム(4)は、持ち上げられたスイッチカム(21-5)を押し込む。第４カム(22) ［図６参照］は、ロッキングバー(21-2)の左端のバット部(21-2a)を下方に押し込む。
【００２２】
その第３カム(4)により、スイッチカム(21-5)、スイッチプレート(21-4)を介して押し下げされるのが、スイッチレバーカム(5)およびそのスイッチレバーカム(5)に連結している第１リンクプレート(6)、そして第１リンクプレート(6)に連結している第２リンクプレート(7)である。
【００２３】
第１リンクプレート(6)および第２リンクプレート(7)には、スイッチレバー(8)が連結している。そのスイッチレバー(8)には、第３リンクプレート(9)が連結している。スイッチレバー(8)は支点(8-1)を中心にして回動可能であるので、第３リンクプレート(9)は、第２リンクプレート(7)と逆方向の動きをする。回動のガイドとなるのはハウジングプレート(24)に設けられた長孔(24-1)である。
【００２４】
なお、符号(10)は、第３カム(4)により移動した部品を元の位置に戻すためのスプリングである。
【００２５】
一方、全ての糸を非給糸状態にする特別の１段のペグ(1-1)に対応するセレクトレバー(21-1)以外の隙間において、スライダー(21-3)と同じ隙間に位置し、スライダー(21-3)と係合部(11-1)で嵌合し、スライダー(21-3)と共に回転往復運動をするのが、第４リンクプレート(11)である。第４リンクプレート(11)は支点(11-2)を中心として回動可能である。
【００２６】
その第４リンクプレート(11)と係合部(11-3)で嵌合し、回動往復運動をする第５リンクプレート(12)、及び、その第５リンクプレート(12)と係合部(12-2)で嵌合し、回動往復運動をする第６リンクプレート(13)がそれぞれ設けられている。第５リンクプレート(12)は支点(12-1)を中心として回動可能である。
【００２７】
その第６リンクプレート(13)に接合しているのが、フィンガーユニット(14)である。フィンガーユニット(14)は、給糸の糸を切るための固定刃(14-1)、糸端を保持するためのヤーンキャッチャ(14-3)、固定刃(14-1)と接して保持された糸を切るための動刃(14-2)、前記ヤーンキャッチャ(14-3)と動刃(14-2)を保持し且つ往復開閉運動させるためのケース(14-4)からなる。
【００２８】
第２リンクプレート(7)の先端部には第１ピン(19)が接合していて、ケース(14-4)の突起部(14-4a)を押し下げ、ケース(14-4)と共にヤーンキャッチャ(14-3)、動刃(14-2)を閉じて、糸の保持と切断する。第３リンクプレート(9)の先端部には第２ピン (20)が接合していて、ケース(14-4)の突起部(14-4ｂ)を引き上げ、ケース(14-4) と共にヤーンキャッチャ(14-3)、動刃(14-2)を開き、保持している糸を解放する。
【００２９】
その他の部品として、トラッパー(15)［図８］、ヤーンガイドプレート(16)およびヤーンガイド(17)がある。トラッパー(15)は、編機回転と共に円周方向に移動し、給糸される位置にある糸を捉え、確実に糸を編針(18)に供給する。ヤーンガイドプレート(16)およびヤーンガイド(17)は、複数の糸を仕切り且つ糸の位置を安定させる。
【００３０】
なお、ヤーンガイドプレートには、図９に示すように、ヤーンガイドプレート（16）の背面に切り欠き（16a）を設けるのが好ましい。この切り欠きを設ける目的は次のとおりである。すなわち、正常な切換えが行われた時は、トラッパー(15)で下げられた編糸はヤーンガイドプレート（16）の底面を通ってヤーンキャリヤに給糸される。しかし、何らかの異常で編糸がヤーンガイドプレート（16）の底面を通らずに供給されれば、回転ダイヤルに編み糸が巻きつき針の破損などの大事故が発生することがある。この切り欠き（16a）を設けることで、編糸はこの箇所に留まり、事故を未然に防ぐことが出来る。
＜動作説明１＞
【００３１】
図１ないし図６は、一連の動作段階にある給糸装置の断面図である。ここでは、４本の異なる糸を切換える場合の例で説明する。説明の便宜上、４本の糸をＡ糸、Ｂ糸、Ｃ糸、Ｄ糸と呼び、Ａ糸が供給される一連の動作を説明する。
【００３２】
［１］  図1において、編機と共に円周方向に等速で移動しているアクチュエータ(1)が、セレクトレバー(21-1)と係合する前に信号を受け、Ａ糸用ペグ(1-1a)が供給位置に移動する。
【００３３】
［２］  編機の回転に伴いＡ糸用ペグ(1-1)がセレクトレバー(21-1)と係合し、ペグ(1-1a)がセレクトレバー(21-1)を押し込む。
【００３４】
［３］  それに伴いセレクトレバー(21-1)がロッキングバー(21-2a)を押し込み、ロッキングバー(21-2a)の左端のバット部(21-2a-a)が突き出る。
【００３５】
なお、図１では、フィンガーユニット（14）の位置は、切換動作を行っていない通常の給糸状態で、給糸状態にあるフィンガーユニット（14）の動刃(14-2)、ヤーンキャッチャ(14-3)は開いた位置にあり、また非給糸状態にあるフィンガーユニット（14）の動刃(14-2)、ヤーンキャッチャ(14-3)は閉じた位置にある。以下、図1のこの状態を「通常位置」という。
【００３６】
［４］  図２では、前記のバット部(21-2a)と、編機と共に円周方向に等速で移動している第１カム(2)が係合し、ロッキングバー(21-2)を右側に移動させる。
【００３７】
［５］  それに伴い、スライダー(21-3)、スイッチプレート(21-4)が右側に移動し、第４リンクプレート(11)、第５リンクプレート(12)、第６リンクプレート(13)がそれぞれ支点を中心として回動する。
【００３８】
［６］  第６リンクプレート(13)の回動に伴い、フィンガーユニット(14)は、Ａ糸が編機外側から編針(18)の上を越えて、編機内側の切換え位置まで円弧運動で移動する。その位置では第２ピン(20)とケース(14-4)の突起部(14-4b)が係合する。以下、図２のこの状態を「切換え位置」という。
【００３９】
［７］  その後、編機と共に円周方向に移動しているトラッパー(15)がＡ糸を捉え、編針(18)にＡ糸を供給する(図８)。
【００４０】
［８］  図３では、それと同時期に、編機と共に円周方向に等速で移動している第３カム(4)がスイッチカム(21-5)を押し込み、それに伴いスイッチプレート(21-4)、スイッチレバーカム(5)、第１リンクプレート(6)、第２リンクプレート(7)が押し下げられる。
【００４１】
［９］  同時にスイッチレバー(8)が支点(8-1)を中心にして回動し、第３リンクプレート(9)が押し上げられ、第２ピン(20)がケース(14-4)の突起部(14-4b)を引き上げ、動刃(14-2)およびヤーンキャッチャ(14-3)が上昇しＡ糸の端を離す。Ａ糸はヤーンガイド（17）およびヤーンガイドプレート（16）を経由して、編針（18）に供給される。
【００４２】
［１０］  図４では、その後、スプリング(10)により、スイッチカム(21-5) 、スイッチプレート(21-4)、スイッチレバーカム(5)、第１リンクプレートＡ(6)、第２リンクプレート(7)、スイッチレバー(8)、第３リンクプレート(9)が通常位置に戻る。
【００４３】
［１１］  図５では、その後に編機と共に円周方向に移動している第２カム(3)がロッキングバー(21-2)の右端のバット部(21-2b)と係合し、ロッキングバー(21-2)を通常位置に移動させる。
【００４４】
［１２］  それに伴い、スライダー(21-3)、スイッチプレート(21-4)が左側に移動し、通常位置に戻り、また第４リンクプレート(11)、第５リンクプレート(12)、第６リンクプレート(13)がそれぞれ支点を中心として回動し、通常位置に戻る。
【００４５】
［１３］  第６リンクプレート(13)の移動に伴い、フィンガーユニット(14)が通常位置に戻るが、すでに編機に給糸状態にあるＡ糸に接触せずにＡ糸用フィンガーユニット(14)を移動することができるようにヤーンガイドプレート(16)およびヤーンガイド(17)が配置されている［図８参照］。具体的には、動刃(14-2)、ヤーンキャッチャ(14-3)が開き、固定刃(14-1)の凹部（14-1a）が開口している状態で、それらの部品が移動し、固定刃(14-1)の下部から給糸状態にあるＡ糸と交差し始める。そのときには固定刃(14-1)の下部とＡ糸との間には隙間があり、その状態からさらに固定刃(14-1)が移動するにつれて交差点が固定刃(14-1)の上に移動し且つ固定刃(14-1)とＡ糸との隙間も少なくなってくる。さらに固定刃(14-1)が移動し、その隙間がなくなるまでには固定刃(14-1)の凹部（14-1a）にＡ糸が入り込み、固定刃(14-1)とＡ糸との間に十分な隙間が発生する。さらに固定刃(14-1)が移動し、元の位置に戻った位置ではＡ糸が動刃(14-2)およびヤーンキャッチャ(14-3)にて安定して切断および保持されるだけの、Ａ糸が固定刃(14-1)の凹部（14-1a）に入り込んだ位置関係になる。
【００４６】
Ａ糸用のヤーンキャッチャ(14-3)と動刃(14-2)は開いた状態で通常の給糸状態にあり、Ａ糸は編針に供給され続ける。
【００４７】
［１４］  図６では、編機と等速で回転する第４カム(22)がロッキングバー(21-2)の左端のバット部(21-2a)を下方に押し込み、給糸切換えを開始する前の状態にする。
＜動作説明２＞
【００４８】
給糸状態にあるＡ糸を非給糸状態にし、非給糸状態のＤ糸を給糸状態にする一連の動作を説明する。
【００４９】
Ｄ糸は、前記の＜動作説明１＞の［１］から［１３］の動作を行い、Ｄ糸が給糸状態になる。
【００５０】
Ａ糸は、前記の＜動作説明１＞の［１］で切換信号を受けないため、フィンガーユニット（14）は、通常の給糸位置の状態で、動刃(14-2)、ヤーンキャッチャ(14-3)は開いている。そして、第２リンクプレート(7)が押し下げられ、それに伴い第２ピン(20)がケース(14-4)の突起部(14-4a)を押し下げ、動刃(14-2)およびヤーンキャッチャ(14-3)が下降しＡ糸を切断および保持し、Ａ糸が非給糸状態になる。
＜動作説明３＞
【００５１】
給糸状態にあるＡ糸を給糸状態に持続させ、非給糸状態のＤ糸を給糸状態にする一連の動作を説明する。
【００５２】
Ａ糸およびＤ糸について前記の＜動作説明１＞の［１］においてＡ糸用ペグ(1-1a)およびＤ糸用ペグ(1-1-d)の両方が同時に供給位置に移動した状態で［１］から［１３］の動作を同時に行う。Ｄ糸は＜動作説明１＞でのＡ糸と全く同じ内容で給糸状態になる。一方、Ａ糸はすでに供給状態にあるので、Ａ糸用フィンガーユニット(14)がＡ糸を保持せず、Ａ糸が固定刃(14-1)の凹部に入り込んだ状態から＜動作説明１＞の［１］から［１３］の動作を同時に行う。
＜動作説明４＞
【００５３】
全ての給糸中の糸を非給糸状態にする、ブランクアウトの一連の動作を説明する。ただしブランクアウト用連結部材には第４リンクプレート(11)、第５リンクプレート(12)、第６リンクプレート(13)、フィンガーユニット(14)が存在しない。
【００５４】
編機と等速で回転するアクチュエータ(1)が、ブランクアウト用セレクトレバー(21-1x)と係合する前に信号を受け、ブランクアウト用ペグ(1-1x)が供給位置に移動する。
【００５５】
＜動作説明１＞の［２］から［４］と同一の動作を行う。
【００５６】
それに伴いスライダー(21-3)、スイッチプレート(21-4)が右側に移動する。
【００５７】
編機と等速で回転する第３カム(4)がスイッチカム(21-5)を押し込み、それに伴いスイッチプレート(21-4)、スイッチレバーカム(5)、第１リンクプレート(6)、第２リンクプレート(7)が押し下げられ、それに伴い第２ピン(20)がケース(14-4)を下降させ、同時に動刃(14-2)およびヤーンキャッチャ(14-3)が下降し、全ての給糸中の糸を切断および保持し、全ての糸が非給糸状態になる。
【００５８】
＜動作説明１＞の［１０］から［１１］と同一の動作を行う。
【００５９】
それに伴い、スライダー(21-3)、スイッチプレート(21-4)が左側に移動し、元の位置に戻る。
【図面の簡単な説明】
【００６０】
【図１】一連の動作段階にある給糸装置の断面図である。
【図２】一連の動作段階にある給糸装置の断面図である。
【図３】一連の動作段階にある給糸装置の断面図である。
【図４】一連の動作段階にある給糸装置の断面図である。
【図５】一連の動作段階にある給糸装置の断面図である。
【図６】一連の動作段階にある給糸装置の断面図である。
【図７】本発明の１実施例に係る給糸装置の断面図である。
【図８】フィンガーユニットの正面図である。
【図９】ヤーンガイドプレートの拡大図である。
【符号の説明】
【００６１】
(1)    アクチュエータ
(1-1)  ペグ
(3)    第２カム
(4)    第３カム
(14)   フィンガーユニット
(21)   セレクターユニット
(22)   第４カム
(21、11、12、13)        第１伝達部材
(21-5、21-4、5、6、7、8、9、19、20)        第２伝達部材
(14-2) 動刃
(14-3) ヤーンキャッチャ
【図１】
2005042260.tif 000004
【図２】
2005042260.tif 000005
【図３】
2005042260.tif 000006
【図４】
2005042260.tif 000007
【図５】
2005042260.tif 000008
【図６】
2005042260.tif 000009
【図７】
2005042260.tif 000010
【図８】
2005042260.tif 000011
【図９】
2005042260.tif 000012
【手続補正書】
【提出日】平成15年7月29日(2003.7.29)
【手続補正１】
【補正対象書類名】明細書
【補正対象項目名】００３３
【補正方法】変更
【補正の内容】
【００３３】
［２］  編機の回転に伴いＡ糸用ペグ(1-1a)がセレクトレバー(21-1a)と係合し、ペグ(1-1a)がセレクトレバー(21-1a)を押し込む。
【手続補正２】
【補正対象書類名】明細書
【補正対象項目名】００３４
【補正方法】変更
【補正の内容】
【００３４】
［３］  それに伴いセレクトレバー(21-1a)がロッキングバー(21-2a)を押し込み、ロッキングバー(21-2a)の左端のバット部(21-2a-a)が突き出る。